(57)【特許請求の範囲】
【請求項１】
ＰＨＳ端末が、自分のページンググループのページチャネルのみを受信する状態で、自分のページンググループのページ・チャネルから置き換えられたユーザ・スペシフィック・コントロール・チャネルに入れられた文字情報を受信する手段を備え、
ＰＨＳ基地局が、前記ページ・チャネルから置き換えられた前記ユーザ・スペシフィック・コントロール・チャネルに前記文字情報を入れて送信する手段を備えることを特徴とするＰＨＳにおける文字放送システム。
【請求項２】
請求項１に記載のＰＨＳにおける文字放送システムにおいて、
前記ＰＨＳ端末は、受信チャネルが前記ユーザ・スペシフィック・コントロール・チャネル又はページ・チャネルのいずれであるのかを判断する手段を更に備えることを特徴とするＰＨＳにおける文字放送システム。
【請求項３】
請求項１に記載のＰＨＳにおける文字放送システムにおいて、
前記ＰＨＳ基地局は、ページ・チャネルの一部を前記ユーザ・スペシフィック・コントロール・チャネルに置き換える手段を更に備えることを特徴とするＰＨＳにおける文字放送システム。
【請求項４】
自分のページンググループのページチャネルのみを受信する状態で、自分のページンググループのページ・チャネルから置き換えられたユーザ・スペシフィック・コントロール・チャネルに入れられた文字情報を受信する手段を備えることを特徴とするＰＨＳ端末。
【請求項５】
請求項４に記載のＰＨＳ端末において、
受信チャネルが前記ユーザ・スペシフィック・コントロール・チャネル又はページ・チャネルのいずれであるのかを判断する手段を更に備えることを特徴とするＰＨＳ端末。
【発明の詳細な説明】
【０００１】
【発明の属する技術分野】
本発明は構内ＰＨＳ（Ｐｅｒｓｏｎａｌ  Ｈａｎｄｙ−ｐｈｏｎｅ  Ｓｙｓｔｅｍ）における、文字放送に関する。
【０００２】
【従来の技術】
ＰＨＳシステムにおける文字通信に関しては、通話チャンネルを利用したｐｏｉｎｔ  ｔｏ  ｐｏｉｎｔによる文字送信機能、３２／６４Ｋデータ通信等の機能がある。これでは不特定多数に文字情報を同時に送ることは出来なかった。
【０００３】
また、制御チャンネルを利用した、文字情報サービスは、ＵＳＣＣＨ（Ｕｓｅｒ  Ｓｐｅｃｉｆｉｃ  Ｃｏｎｔｒｏｌ  Ｃｈａｎｎｅｌ；ユーザ・スペシフィック・コントロール・チャネル）を介して文字放送を行う形態が一般的な形となっている。
【０００４】
特開平１０−１７３７８５号公報には、その図６で示されるＵＳＣＣＨフレームを利用した文字放送装置が記載されている。その図４、図８、図９においては、ＵＳＣＣＨ受信方式について規定されている。ＵＳＣＣＨを１スーパーフレーム毎に受信することにより文字情報を受信している。このことにより待ち受け時に、不特定多数のＰＨＳ端末に対して、文字放送を可能としている。
【０００５】
【発明が解決しようとする課題】
しかし、特開平１０−１７３７８５号公報に記載されているような従来のＵＳＣＣＨを利用した文字放送システムの場合、１スパーフレーム毎にデータを受信することから、通常のＰＨＳ端末においてバッテリーセービングが出来ず待ち受けでの消費電流が上がる問題がある。
【０００６】
本発明の目的は、文字放送が行われた時に、電池によって稼働するＰＨＳ端末の待ち受けでの消費電流を軽減して、ＰＨＳ端末の待ち受け時間の長期化を図ることである。
【０００７】
【課題を解決するための手段】
本発明の第１の観点によれば、ＰＨＳ端末が、自分のページンググループのページチャネルのみを受信する状態で、ページ・チャネルから置き換えられたユーザ・スペシフィック・コントロール・チャネルに入れられた文字情報を受信する手段を備え、ＰＨＳ基地局が、前記ページ・チャネルから置き換えられた前記ユーザ・スペシフィック・コントロール・チャネルに前記文字情報を入れて送信する手段を備えることを特徴とするＰＨＳにおける文字放送システムが提供される。
【０００８】
上記のＰＨＳにおける文字放送システムにおいて、前記ＰＨＳ端末は、受信チャネルが前記ユーザ・スペシフィック・コントロール・チャネル又はページ・チャネルのいずれであるのかを判断する手段を更に備えていてもよい。
【０００９】
上記のＰＨＳにおける文字放送システムにおいて、前記ＰＨＳ基地局は、ページ・チャネルの一部を前記ユーザ・スペシフィック・コントロール・チャネルに置き換える手段を更に備えていてもよい。
【００１０】
本発明の第２の観点によれば、自分のページンググループのページチャネルのみを受信する状態で、ページ・チャネルから置き換えられたユーザ・スペシフィック・コントロール・チャネルに入れられた文字情報を受信する手段を備えることを特徴とするＰＨＳ端末が提供される。
【００１１】
上記のＰＨＳ端末は、受信チャネルが前記ユーザ・スペシフィック・コントロール・チャネル又はページ・チャネルのいずれであるのかを判断する手段を更に備えていてもよい。
【００１２】
本発明の第３の観点によれば、ページ・チャネルから置き換えられたユーザ・スペシフィック・コントロール・チャネルに文字情報を入れて送信する手段を備えることを特徴とするＰＨＳ基地局が提供される。
【００１３】
上記のＰＨＳ基地局は、前記ページ・チャネルの一部を前記ユーザ・スペシフィック・コントロール・チャネルに置き換える手段を更に備えていてもよい。
【００１４】
図１を参照すると、サーバ１０２より構内交換機ＰＢＸ１０１にメッセージフレームを送信する。送信されたフレームは構内交換機ＰＢＸ１０１を介して基地局ＣＳ１０３に送られる。
【００１５】
基地局ＣＳ１０３において、フレームは有線回線よりＰＢＸ  ＩＦ２０１に入力され、制御部２０２によりＰＣＨ送信位置をＵＳＣＣＨに切り替える。以後、無線部ＴＲＸ２０５より常にＵＳＣＣＨが送信される。
【００１６】
データ編集部２０３においフレームをＵＳＣＣＨのデータ構成に分割する。
【００１７】
データ編集部２０３で分割されたフレームは、ＰＣＨをＵＳＣＣＨに入れ替えることにより、ＵＳＣＣＨで送信される。
【００１８】
ＰＨＳ端末ＰＳ１０４においては無線部３０１から間欠受信２のタイミングにより分割されたフレームが受信される。
【００１９】
このことにより、文字放送のための情報を受信する。
【００２０】
ＰＨＳ端末ＰＳ１０４において着信が発生した場合は、着信群のＰＣＨ位置のみをＰＣＨに入れ替え着呼をかける。
【００２１】
［作用］
本発明において、効果をもたらすための手段の働きについては、ＰＨＳシステム待ち受け動作にて行われている、消費電流低減するために間欠受信２（自分のページンググループのＰＣＨのみを受信する状態）の状態を維持しつつ文字放送を実現する。従来、待ち受けの文字放送の実現は、間欠受信１の状態（全てのＰＣＨを受信する状態）での実現のため、消費電流が大きくなり、移動型の端末には不向きであった。本発明では、ＰＣＨとＵＳＣＣＨとの切替手段を持ち合わせており、間欠受信２状態でＣＳより着信がない場合、ＵＳＣＣＨにより文字情報を伝送する。
【００２２】
【発明の実施の形態】
次に、本発明の実施の形態について図面を参照して詳細に説明する。
【００２３】
図１を参照すると、本発明の実施形態による構内ＰＨＳにおける文字放送システムは、構内交換機ＰＢＸ（Ｐｒｉｖａｔｅ  Ｂｒａｎｃｈ  Ｅｘｃｈａｎｇｅ）１０１、サーバ１０２、ＰＨＳ基地局ＣＳ（Ｃｅｌｌ  Ｓｔａｔｉｏｎ）１０３、ＰＨＳ端末ＰＳ（Ｐｅｒｓｏｎａｌ  Ｓｔａｔｉｏｎ）１０４を備える。構内交換機ＰＢＸ１０１とサーバ１０２は、信号線５を介して相互に信号を入出力し、構内交換機ＰＢＸ１０１とＰＨＳ基地局１０３はＩ回線Ｉ／Ｆ６を介して相互に信号を入出力する。
【００２４】
図２を参照すると、ＰＨＳ基地局ＣＳ１０３は、構内交換機ＰＢＸ１０１と通信をするＰＢＸ  Ｉ／Ｆ２０１、制御部２０２、データ編集部２０３、データ編集部２０３からの送信ベースバンド信号を変調して送信高周波信号し、無線部ＴＲＸ２０５からの受信高周波信号を復調して受信ベースバンド信号を出力する変調部２０４、変調部２０４からの送信高周波信号を送信無線信号としてＰＨＳ端末ＰＳ１０４に送信し、ＰＨＳ端末ＰＳ１０４からの受信無線信号を受信して受信高周波信号とする無線部ＴＲＸ２０５を備える。
【００２５】
図３を参照すると、ＰＨＳ端末ＰＳ１０４は、ＰＨＳ基地局１０３からの受信無線信号を受信して受信高周波信号とし、送信高周波信号を送信無線信号としてＰＨＳ基地局ＣＳ１０３に送信する無線部ＴＲＸ３０１、無線部ＴＲＸ３０１からの受信高周波信号を復調して受信ベースバンド信号とし、送信ベースバンド信号を変調して送信高周波信号とする変復調部３０２、変復調部３０２からの受信ベースバンド信号を編集するデータ編集部３０３、データ編集部が編集した信号等を音声として出力するスピーカ３０４、音声を入力して音声信号とするマイク３０５、データ編集部が編集した信号等を文字、記号等として出力するＬＣＤ等の表示部３０６、文字、記号等を入力する１組のキー等の入力部、ＰＨＳ端末ＰＳ１０４の全体の動作を制御する制御部３０８を備える。
【００２６】
図１を参照すると、サーバ１０２は、ユーザーインタフェースを介して入力された文字情報を蓄積する。
【００２７】
構内交換機ＰＢＸ１０１は、サーバ１０２より供給される文字情報をＩ回線Ｉ／Ｆのフレーム構成に変換する。
【００２８】
ＰＨＳ基地局ＣＳ１０３は、構内交換機ＰＢＸ１０１より供給されるＩ回線Ｉ／Ｆのフレーム構成の文字情報をデータ編集部２０３において無線区間送信のための文字情報に分割し、制御部２０４においてＰＣＨ（Ｐａｇｅ  Ｃｈａｎｎｅｌ；ページチャネル；ＲＣＲ２８で規定される。）送信時にＵＳＣＣＨに切替え、分割された文字情報を送信する。
【００２９】
ＰＨＳ端末ＰＳ１０４の制御部３０６は、受信した信号がＰＣＨ又はＵＳＣＣＨのいずれであるかの確認を行う。
【００３０】
データ編集部３０３は、文字情報の結合処理を行う。
【００３１】
表示部３０６又はスピーカ３０４は、文字情報を表示し又は発声する。
【００３２】
本実施形態では、サーバ１０２がユーザインタフェースを介して文字情報を入力する。構内交換機ＰＢＸ１０１よりＩ回線を通してＰＨＳ基地局ＣＳ１０３に文字情報が送信される。ＰＨＳ基地局ＣＳ１０３は、無線区間の取り決めに従いＵＳＣＣＨ上で文字情報を送信する。この時、ＰＣＨを送信する位置に、切り替えによりＵＳＣＣＨを入れることにより、文字情報を報知する。ＰＨＳ端末ＰＳ１０４は間欠受信２の状態にあり、通常は、ＰＣＨを受信しているが、同時にＵＳＣＣＨも受信出来る仕組みを図４に示すようにもっており、ＰＨＳ基地局ＣＳ１０３により、ロジックチャンネルを切り替えることが可能となる。このことにより、文字放送受信時の端末において消費電流の低減が可能となる。
【００３３】
次に、ＰＨＳ端末１０４の動作について図４を参照して説明する。
【００３４】
まず、フレームの間欠受信２を行う（ステップＳ４０１）。次に、フレームがＵＳＣＣＨ又はＰＣＨのいずれであるかの識別を行う（ステップＳ４０３）。ＵＳＣＣＨの場合は、ヘッダーをデータ編集部３０３で解析し（ステップＳ４０４）、すでに受信済みのフレームでなければ（ステップ４０５でＹＥＳ）、端末内のストレージエリアにフレームをセーブする（ステップＳ４０６）。受信済みフレームであれば（ステップＳ４０５でＮＯ）、フレームを破棄する。分割後のフレームの全ての部分が受信済みであれば（ステップＳ４０７でＹＥＳ）、メッセージを表示部３０６に表示する。分割後のフレームの全ての部分を受信しているのでなければ（ステップＳ４０７でＮＯ）、すべての部分を受信完了するまでＰＨＳ端末内のストレージエリアに受信した部分を保持する。
【００３５】
【発明の効果】
以上説明したように、本発明によれば、以下の効果が奏される。
【００３６】
第１の効果は、消費電流低減が可能である。
【００３７】
その理由は、ＰＨＳ端末が、間欠受信２において、ＰＣＨとＵＳＣＣＨを同時待ち受けすることと、基地局ＣＳにおいて文字放送による送信指示が構内交換機ＰＢＸ側よりあった場合、ＰＣＨとＵＳＣＣＨを切り替える手段を持つからである。また、間欠受信２の状態では、間欠状態１の状態と比べて、一定時間にＰＣＨを受信する回数が少ないからである。
【００３８】
第２の効果は、端末が持っている電話番号により必要な情報を切り替えることが出来ることである。
【００３９】
その理由は、ＰＣＨ位置にＵＳＣＣＨを入れ替えることが出来るため、ＣＳが送信するＰＣＨタイミングによって、文字情報の切替が可能なためである。
【図面の簡単な説明】
【図１】本発明の実施形態によるＰＨＳにおける文字放送システムの構成を示すブロック図である。
【図２】図１に示すＰＨＳ基地局（ＣＳ）１０３の構成を示すブロック図である。
【図３】図１に示すＰＨＳ端末（ＰＳ）１０４の構成を示すブロック図である。
【図４】図１に示すＰＨＳ端末（ＰＳ）１０４の動作を示すフローチャートである。
【符号の説明】
１０１  構内交換機（ＰＢＸ）
１０２  サーバ
１０３  ＰＨＳ基地局（ＣＳ）
１０４  ＰＨＳ端末（ＰＳ）
【図１】
0003549846.tif 000002
【図２】
0003549846.tif 000003
【図３】
0003549846.tif 000004
【図４】
0003549846.tif 000005